(57)【要約】【課題】建物に備えさせるダンパーの効きを、建物の一般購入予定者などにリアルに理解させることができ、しかも、それをあまりコストをかけずに実現することができるようにすること。【解決手段】体験用のステージ１に乗った人が、起振機２によるステージ１の揺れの減衰過程を、ダンパー３が働いている場合と、働いていない場合とを比較して、体験できるようになされている。ステージ１は防振支承され、ステージ１に起振機２が設置されているとよい。【選択図】      図１
2006017899.tif 000002
【特許請求の範囲】
【請求項１】
人が乗る体験用のステージと、該ステージに揺れを生じさせる起振機と、起振機によるステージの振動を減衰するダンパーとが備えられ、
前記ステージに乗った人が、起振機によるステージの揺れの減衰過程を、ダンパーが働いている場合と、働いていない場合とを比較して、体験できるようになされていることを特徴とする建物用ダンパー体験装置。
【請求項２】
前記体験用ステージが防振支承され、該ステージに起振機が設置されている請求項１に記載の建物用ダンパー体験装置。
【請求項３】
前記ステージに、体験しようとする者を寝かせた状態にするベッドが備えられている請求項１又は２に記載の建物用ダンパー体験装置。
【請求項４】
人が乗る体験用のステージと、該ステージに揺れを生じさせる起振機と、起振機によるステージの振動を減衰するダンパーとを用い、
体験しようとする者にステージに乗ってもらい、起振機によるステージの揺れの減衰過程を、ダンパーが働いている場合と、働いていない場合とを比較して、体験してもらうことを特徴とする建物用ダンパー体験方法。
【発明の詳細な説明】
【技術分野】
【０００１】
本発明は、建物用ダンパー体験装置及び同体験方法に関する。
【背景技術】
【０００２】
建物の揺れが早期に減衰されるように、建物にダンパーを備えさせることは従来より行われているが、建物の一般購入予定者等にとって、ダンパーの効き具合は、試験データを見せられたり、ダンパーの仕組みを説明されただけでは、なかなか理解しにくい。そのため、ダンパーを建物に標準で備えさせると建物の価格に割高感を生じさせることがあり、オプションにすると採用を見送られることがある。
【発明の開示】
【発明が解決しようとする課題】
【０００３】
本発明は、上記のような問題点に鑑み、建物に備えさせるダンパーの効きを、建物の一般購入予定者などにリアルに理解させることができ、しかも、それをあまりコストをかけずに実現することができるようにすることを課題とする。
【課題を解決するための手段】
【０００４】
上記の課題は、人が乗る体験用のステージと、該ステージに揺れを生じさせる起振機と、起振機によるステージの振動を減衰するダンパーとが備えられ、
前記ステージに乗った人が、起振機によるステージの揺れの減衰過程を、ダンパーが働いている場合と、働いていない場合とを比較して、体験できるようになされていることを特徴とするダンパー体験装置によって解決される。
【０００５】
また、人が乗る体験用のステージと、該ステージに揺れを生じさせる起振機と、起振機によるステージの振動を減衰するダンパーとを用い、
体験しようとする者にステージに乗ってもらい、起振機によるステージの揺れの減衰過程を、ダンパーが働いている場合と、働いていない場合とを比較して、体験してもらうことを特徴とするダンパー体験方法によって解決される。
【０００６】
上記の装置及び方法によれば、体験をしようとする者は、ダンパーが働いている状態をリアルに体験することができるだけでなく、その体験を、ダンパーが働いてない場合との比較において体験することができ、体験者に建物へのダンパー採用の必要性をリアルに理解させることができる。
【０００７】
しかも、実際の建物にダンパーを設置して建物を起振機で揺らして体験を行ってもらうものではなく、体験用のステージを起振機で揺らして簡易に体験を行うものであるから、コストもあまりかからない。
【０００８】
上記の体験用ステージが防振支承され、該ステージに起振機が設置されている場合は、ステージを設置する設置場所、例えばフロアーなどへの揺れの伝わりを抑制することができるのみならず、防振支承部の防振特性をうまい具合に調整するだけで、ダンパーが働いている場合と、働いていない場合との比較を、より明確に理解してもらえるようにすることができる。
【０００９】
上記の体験用ステージに、体験しようとする者を寝かせた状態にするベッドが備えられている場合は、ベッドに、体験しようとする者を寝かせて体験してもらうことで、揺れをからだ全体で鋭く感じ取ってもらうことができ、しかも、安全に体験してもらうことができる。
【発明の効果】
【００１０】
本発明は、以上のとおりのものであるから、建物に備えさせるダンパーの効きを、建物の一般購入予定者などにリアルに理解させることができ、しかも、それをあまりコストをかけずに実現することができる。
【発明を実施するための最良の形態】
【００１１】
次に、本発明の実施最良形態を図面に基づいて説明する。
【００１２】
図１に示す体験装置において、１は体験用のステージ、２は起振機、３はダンパーである。体験用ステージ１は、体験展示場などのフロアー４に、積層ゴム５…等の防振手段によって防振支承されており、ステージ１上には人が横になることができるベッド６が設置されている。そして、起振機２は、横揺れ用のもので、ベッド６下のスペースを利用してステージ床面上に設置され、ダンパー３は、その全体が見えるように、ベッド６の脇のステージ床面に設置されている。ダンパー３の種類に制限はないが、例えば、ＴＭＤ、ＬＭＤ、ＡＭＤ等のダンパーであってよい。
【００１３】
そして、上記の体験装置は、ステージ１に乗った人が、起振機２によるステージ１の揺れの減衰過程を、ダンパー３が働いている場合と、働いていない場合とを比較して、体験できるようになされている。これら二つの比較体験を行えるようにする具体的手段に制限はなく、例えば、ダンパー３をステージ床面に着脱可能に設置して、一方の体験をする時にはダンパー３をステージ床面に設置し、もう一方の体験をする時はダンパー３をステージ１から降ろすという方法で比較体験を行うようになされていてもよいし、また、ダンパー３がＴＭＤである場合には、振動減衰用の振り子を固定可能にし、固定した場合としない場合とで比較体験を行うことができるようになされていてもよい。また、ダンパー３がＬＭＤである場合には、液体の出し入れが可能な液体収容部を備えさせて、液体の出し入れによって比較体験を行うことができるようになされていてもよい。
【００１４】
また、本実施形態では、ステージ１上に揺れを視覚的、聴覚的に把握してもらうための背高な金属製キャビネットなどの家具７と、鉢植えの木８が設置されている。また、体験を安全に行ってもらうため、ステージ１は、入口部９を除いて、周囲が手摺り１０と壁１１で囲まれている。
【００１５】
上記の体験装置では、図２に示すように、体験しようとする者に、ステージ１上のベッド６に横になってもらい、まず、ダンパー３を働かない状態にして、同図（イ）に示すように、起振機２を起動し、ダンパー３が働かない場合のステージ１の揺れの減衰過程を感じとってもらう。次に、ダンパー３を働く状態にし、同図（ロ）に示すように、起振機２を起動し、ダンパー３が働く場合のステージ１の揺れの減衰過程を感じ取ってもらう。これにより、体験者は、ダンパー３が働いている状態をリアルに体験することができるだけでなく、その体験を、ダンパー３が働いてない場合との比較において体験することができ、体験者にダンパー３の必要性をリアルに理解してもらうことができて、ダンパーが建物に標準で備えられている場合の建物価格の割高感を解消することができ、オプションである場合のダンパーの積極的採用希望件数を増やすことができる。
【００１６】
しかも、体験用のステージ１を用意し、体験用のステージ１を起振機２で揺らして簡易に体験を行ってもらうものであるから、コストもあまりかからない。
【００１７】
特に、本実施形態では、体験用ステージ１が積層ゴム５…で防振支承されているので、ステージ１を設置するフロアー４への揺れの伝わりを抑制することができると共に、ゴム５の防振特性をうまい具合に調整するだけで、ダンパー３が働いている場合と、働いていない場合との比較を、より明確に理解してもらえるようにすることができる。
【００１８】
また、体験用ステージ１にベッド６を設置し、体験しようとする者をベッド６に寝かせた状態にして体験をしてもらうようにしているので、揺れをからだ全体で鋭く感じ取ってもらうことができ、しかも、安全に体験してもらうことができる。
【００１９】
以上に、本発明の実施形態を示したが、本発明はこれに限られるものではなく、発明思想を逸脱しない範囲で各種の変更が可能である。例えば、ベッド６を省略し、手摺り１０を握ってステージ１に立ってもらうことで体験を行ってもらうようにしてもよいし、ステージ１に固設した椅子に座って体験をしてもらうようにしてもよい。
【図面の簡単な説明】
【００２０】
【図１】実施形態の体験装置を示すもので、図（イ）は平面図、図（ロ）は正面図である。
【図２】図（イ）はダンパーが働いていない場合の体験状況を示す平面図、図（ロ）はダンパーが働いている場合の体験状況を示す平面図である。
【符号の説明】
【００２１】
１…体験用ステージ
２…起振機
３…ダンパー
６…ベッド
【図１】
2006017899.tif 000003
【図２】
2006017899.tif 000004